(57)【要約】【課題】オートズームでは、主映像の表示サイズに関わりなく字幕表示の有無により、拡大縮小比率が頻繁に変化したり、字幕表示の誤検出や、検出処理の遅れに伴う拡大縮小比率の誤設定による字幕表示部分が欠落することがある。【解決手段】主映像の輝度により再生素材の黒帯部分を検出し、その黒帯部分と表示させるディスプレイの表示領域により拡大縮小率を算出し、主映像のみに対し拡大縮小処理を施し、その後段で、主映像に副映像を加算し出力することにより、字幕表示の有無による拡大縮小比率の変化が発生せず見やすい画像表示をすることができ、また拡大縮小にともなう字幕の欠落を防ぐ。【選択図】図１
2005203933.tif 000002
【特許請求の範囲】
【請求項１】
主映像復号手段と副映像復号手段を持ち合わせ、主映像復号手段から出力される主映像信号と副映像復号手段から出力される副映像信号を加算し出力する映像再生装置において、主映像信号の輝度より主映像の黒帯部分を検出する黒帯部分検出手段と、再生素材の画格と表示するディスプレイの画格と黒帯部分検出手段から出力された黒帯部分の情報をもとに主映像の拡大縮小の比率を算出する拡大値縮小値演算手段と、主映像の水平拡大縮小手段と、主映像の垂直拡大縮小手段とを備え、
前記拡大値縮小値演算手段より求められた水平方向拡大縮小値と垂直方向拡大縮小値に基づいて、前記水平拡大縮小手段と垂直拡大縮小手段によってディスプレイに黒帯部分が表示されないように主映像の拡大縮小を調整するように構成したことを特徴とする映像再生装置。
【請求項２】
再生する主映像を垂直方向に２つの境界線により３つのエリアに分割し、前記３つのエリアの最大輝度値、平均輝度値、最小輝度値のそれぞれを算出し、最大輝度値と平均輝度値と最小輝度値が同値で、かつ、算出された前記最大輝度値、平均輝度値、最小輝度値が黒帯部分と判定される輝度値より小さくなるエリアの境界位置を前記２つの境界線を上下させながら検出し、検出された境界位置にある２つの境界線に挟まれたエリア以外の部分を黒帯部分と判定する映像再生方法。
【請求項３】
請求項２記載の方法により黒帯部分検出を行う黒帯検出手段を持ち合わせた請求項１記載の映像再生装置。
【請求項４】
再生素材の画格情報に基づき、黒帯部分検出の検出のために上下させる２つの境界線の初期位置を決める請求項２記載の映像再生方法。
【請求項５】
再生する主映像を垂直方向に２つの境界線により３つのエリアに分割し、前記３つのエリアの最大輝度値、平均輝度値、最小輝度値のそれぞれを算出し、最大輝度値と平均輝度値と最小輝度値が同値で、かつ、算出された前記最大輝度値、平均輝度値、最小輝度値が黒帯部分と判定される輝度値より小さくなるエリアの境界位置を前記２つの境界線を上下させながら検出し、検出された境界位置にある２つの境界線のうち、上に位置する境界線よりｍライン上から上方と、下に位置する境界線よりｎライン下（ｍ、ｎは整数）から下方の部分を黒帯部分と判定する映像再生方法。
【請求項６】
請求項５記載の方法により黒帯部分検出を行う黒帯検出手段を持ち合わせた請求項１記載の映像再生装置。
【請求項７】
一旦黒帯部分が検出された後に、エリアを区切る２つの境界線の上に位置する境界線の上方ｋライン目の輝度Ｋと、下方ｌライン目の輝度Ｌと、下に位置する境界線の上方ｍライン目の輝度Ｍと、下方ｎライン目の輝度Ｎを算出し、前記輝度Ｋまたは前記輝度Ｎの値が黒帯部分と判定される輝度値よりも大きくなった場合と、前記輝度Ｌまたは前記輝度Ｍの値が黒帯部分と判定される輝度値より小さくなった場合に黒帯部分検出を再スタートさせる請求項２、請求項５記載の映像再生方法。
【請求項８】
一旦黒帯部分が検出された後に、エリアを区切る２つの境界線の上に位置する境界線から上端までのエリアの最大輝度Ｋｍａｘ、平均輝度Ｋａｖｅ、最小輝度Ｋｍｉｎと、上に位置する境界線より下方ｌラインまでのエリアの最大輝度Ｌｍａｘ、平均輝度Ｌａｖｅ、最小輝度Ｌｍｉｎと、２つの境界線の下に位置する境界線より上方ｍラインまでのエリアの最大輝度Ｍｍａｘ、平均輝度Ｍａｖｅ、最小輝度Ｍｍｉｎと、下に位置する境界線から下端までの最大輝度Ｎｍａｘ、平均輝度Ｎａｖｅ、最小輝度Ｎｍｉｎを算出し、ＫｍａｘとＫａｖｅとＫｍｉｎが等しくない、または黒帯部分と判定される輝度値より大きくなった場合と、ＮｍａｘとＮａｖｅとＮｍｉｎが等しくない、または黒帯部分と判定される輝度値より大きくなった場合と、ＫｍａｘとＫａｖｅとＫｍｉｎが等しく黒帯部分と判定される輝度値より小さい、かつＬｍａｘとＬａｖｅとＬｍｉｎが等しく黒帯部分と判定される輝度値より小さい場合と、ＭｍａｘとＭａｖｅとＭｎｉｎが等しく黒帯部分と判定される輝度値より小さい、かつＮｍａｘとＮａｖｅとＮｍｉｎが等しく黒帯部分と判定される輝度値より小さい場合に、黒帯部分検出を再スタートさせる請求項２、請求項５記載の映像再生方法。
【請求項９】
請求項７記載の方法により黒帯部分検出を行う黒帯検出手段を持ち合わせた請求項１記載の映像再生装置。
【請求項１０】
請求項８記載の方法により黒帯部分検出を行う黒帯検出手段を持ち合わせた請求項１記載の映像再生装置。
【発明の詳細な説明】
【技術分野】
【０００１】
本発明は、記録媒体、あるいは伝送通信において、字幕等の副映像データが組み込まれた映像データを再生する映像再生装置に関するものである。
【背景技術】
【０００２】
映像を表示させるディスプレイにおいて、受信された映像信号の出力表示領域と、ディスプレイの表示領域は、必ずとも一致はしない。一致しない場合、映像情報の内容が部分的に切り取られることを犠牲にしてディスプレイ全体をしめる映像を表示させるのか、または、ディスプレイ全体を利用しない小さい映像を出力さぜるをえないことを犠牲にして完全な映像情報を表示させるという映像出力に関して２つの選択肢がある。この選択は、視聴者の嗜好に依存するか、あるいはあらかじめプログラムすることが可能である。ディスプレイ全体をしめる映像を表示するという選択をした場合、表示させる映像信号の有効な表示部分を求め、必要に応じて垂直及び水平方向へズーム（拡大）する処理が必要になる。現在、この入力映像信号から有効な映像信号の領域を求め、出力させるディスクプレイに適応して垂直及び水平方向へズームする機能は、テレビジョン受像器に持ち合わせているのが一般的である（特許文献１参照）。
【０００３】
図８は、このズーム機能付きテレビジョン受像器のブロック構成図を示したものである。図８において、８００はズーム機能付きＴＶ本体、８０１はアンテナ入力、８０２は外部入力入力、８０３はチューナー、８０４は映像スイッチ、８０５は映像拡大縮小プロセッサ、８０６は表示画面を表す。放送信号をアンテナ入力８０１からチューナ８０３により受信し、映像信号へ変換し、映像スイッチ８０４に入力される。ＤＶＤ、ビデオ等の映像再生装置からの映像信号は、外部入力８０２を経由して映像スイッチ８０４に入力される。画面表示させようとする映像信号は、視聴者により映像スイッチ８０４にて選択され、選択された映像信号は、映像拡大縮小プロセッサ８０５により表示画面に適用するように拡大縮小処理が施され、表示画面８０６にて映像表示される。
【０００４】
このような構成では、映画等のワイドスクリーン素材のレターボックスエリアに字幕表示がされるＤＶＤ等の映像再生装置からの映像再生信号を外部入力より入力し映像表示させた場合、字幕表示は不定期でかつ頻繁に出力されるタイミングも存在するため、字幕表示の有無に伴って表示映像の拡大率が頻繁に変化し非常に見づらいという課題あったり、また、字幕表示の誤検出や検出処理の遅れから字幕表示が表示領域から切り取られてしまうという課題がある。
【特許文献１】特表平１０−５１３０１５号公報
【発明の開示】
【発明が解決しようとする課題】
【０００５】
解決しようとする問題点は、主映像の表示サイズに関わりなく字幕表示の有無により、拡大縮小比率が頻繁に変化するという点と、字幕表示の誤検出や、検出処理の遅れに伴う拡大縮小比率の誤設定による字幕表示部分が欠落するという点である。
【課題を解決するための手段】
【０００６】
本発明は、字幕表示の有無ともなう表示映像の拡大率変化をなくし、字幕が表示領域から切り取られないようにするために、ＤＶＤのような字幕等の副映像データが組み込まれた映像データを再生する映像再生装置において、主映像のみを拡大縮小させることを最も主要な特徴とする。
【発明の効果】
【０００７】
本発明の映像再生装置は、主映像と副映像が加算される前段階で、主映像の輝度により再生素材の黒帯部分を検出し、その黒帯部分と表示させるディスプレイの表示領域により拡大縮小率を算出し、主映像のみに対し拡大縮小処理を施し、その後段で、主映像に副映像を加算し出力することにより、字幕表示の有無による拡大縮小比率の変化が発生せず見やすい画像表示をすることができ、また拡大縮小にともなう字幕の欠落を防ぐという利点がある。また、主映像の各フレーム毎に、輝度による黒帯検出を連続的に処理することにより、ユーザーが設定を施すことなく、映像再生素材の時間軸変化にともなって、拡大縮小率を自動で変化させることができるという効果もある。
【発明を実施するための最良の形態】
【０００８】
請求項１に記載の発明は、主映像復号手段と副映像復号手段を持ち合わせ、主映像復号手段から出力される主映像信号と副映像復号手段から出力される副映像信号を加算し出力する映像再生装置において、主映像信号の輝度より主映像の黒帯部分を検出する黒帯部分検出手段と、再生素材の画格と表示するディスプレイの画格と黒帯部分検出手段から出力された黒帯部分の情報をもとに主映像の拡大縮小の比率を算出する拡大値縮小値演算手段と、主映像の水平拡大縮小手段と、主映像の垂直拡大縮小手段とを備え、前記拡大値縮小値演算手段より求められた水平方向拡大縮小値と垂直方向拡大縮小値に基づいて、前記水平拡大縮小手段と垂直拡大縮小手段によってディスプレイに黒帯部分が表示されないように主映像の拡大縮小を調整するように構成した。
【０００９】
請求項２に記載の発明は、再生する主映像を垂直方向に２つの境界線により３つのエリアに分割し、前記３つのエリアの最大輝度値、平均輝度値、最小輝度値のそれぞれを算出し、最大輝度値と平均輝度値と最小輝度値が同値で、かつ、算出された前記最大輝度値、平均輝度値、最小輝度値が黒帯部分と判定される輝度値より小さくなるエリアの境界位置を前記２つの境界線を上下させながら検出し、検出された境界位置にある２つの境界線に挟まれたエリア以外の部分を黒帯部分と判定する。
【００１０】
請求項３に記載の発明は、請求項２記載の方法により黒帯部分検出を行う黒帯検出手段を持ち合わせた。
【００１１】
請求項４に記載の発明は、再生素材の画格情報に基づき、黒帯部分検出の検出のために上下させる２つの境界線の初期位置を決める。
【００１２】
請求項５に記載の発明は、再生する主映像を垂直方向に２つの境界線により３つのエリアに分割し、前記３つのエリアの最大輝度値、平均輝度値、最小輝度値のそれぞれを算出し、最大輝度値と平均輝度値と最小輝度値が同値で、かつ、算出された前記最大輝度値、平均輝度値、最小輝度値が黒帯部分と判定される輝度値より小さくなるエリアの境界位置を前記２つの境界線を上下させながら検出し、検出された境界位置にある２つの境界線のうち、上に位置する境界線よりｍライン上から上方と、下に位置する境界線よりｎライン下（ｍ、ｎは整数）から下方の部分を黒帯部分と判定する。
【００１３】
請求項６に記載の発明は、請求項５記載の方法により黒帯部分検出を行う黒帯検出手段を持ち合わせた。
【００１４】
請求項７に記載の発明は、一旦黒帯部分が検出された後に、エリアを区切る２つの境界線の上に位置する境界線の上方ｋライン目の輝度Ｋと、下方ｌライン目の輝度Ｌと、下に位置する境界線の上方ｍライン目の輝度Ｍと、下方ｎライン目の輝度Ｎを算出し、前記輝度Ｋまたは前記輝度Ｎの値が黒帯部分と判定される輝度値よりも大きくなった場合と、前記輝度Ｌまたは前記輝度Ｍの値が黒帯部分と判定される輝度値より小さくなった場合に黒帯部分検出を再スタートさせる。
【００１５】
請求項８に記載の発明は、一旦黒帯部分が検出された後に、エリアを区切る２つの境界線の上に位置する境界線から上端までのエリアの最大輝度Ｋｍａｘ、平均輝度Ｋａｖｅ、最小輝度Ｋｍｉｎと、上に位置する境界線より下方ｌラインまでのエリアの最大輝度Ｌｍａｘ、平均輝度Ｌａｖｅ、最小輝度Ｌｍｉｎと、２つの境界線の下に位置する境界線より上方ｍラインまでのエリアの最大輝度Ｍｍａｘ、平均輝度Ｍａｖｅ、最小輝度Ｍｍｉｎと、下に位置する境界線から下端までの最大輝度Ｎｍａｘ、平均輝度Ｎａｖｅ、最小輝度Ｎｍｉｎを算出し、ＫｍａｘとＫａｖｅとＫｍｉｎが等しくない、または黒帯部分と判定される輝度値より大きくなった場合と、ＮｍａｘとＮａｖｅとＮｍｉｎが等しくない、または黒帯部分と判定される輝度値より大きくなった場合と、ＫｍａｘとＫａｖｅとＫｍｉｎが等しく黒帯部分と判定される輝度値より小さい、かつＬｍａｘとＬａｖｅとＬｍｉｎが等しく黒帯部分と判定される輝度値より小さい場合と、ＭｍａｘとＭａｖｅとＭｎｉｎが等しく黒帯部分と判定される輝度値より小さい、かつＮｍａｘとＮａｖｅとＮｍｉｎが等しく黒帯部分と判定される輝度値より小さい場合に、黒帯部分検出を再スタートさせる。
【００１６】
請求項９に記載の発明は、請求項７記載の方法により黒帯部分検出を行う黒帯検出手段を持ち合わせた。
【００１７】
請求項１０に記載の発明は、請求項８記載の方法により黒帯部分検出を行う黒帯検出手段を持ち合わせた。
【００１８】
以下本発明の実施の形態について、図面を参照しながら説明する。
【００１９】
（実施の形態）
図１は、本発明の実施の形態における主映像信号の輝度より主映像の黒帯部分を検出し、再生素材の画格と、表示するディスプレイの画格と検出された黒帯部分の情報より、ディスプレイに黒帯部分が表示されないように水平方向、垂直方向に拡大及び縮小するようにして映像信号を出力するように構成した映像再生装置のブロック構成図を示したものである。
【００２０】
図１で１００は主映像復号手段、１０１は水平拡大縮小手段、１０２は垂直拡大縮小手段、１０３は映像信号加算手段、１０４は拡大値縮小値演算手段、１０５は黒帯部分検出手段、１０６は副映像復号手段である。
【００２１】
図２は、図１の映像再生装置における黒帯部分検出手段の内部ブロック図である。
【００２２】
図２で２００は映像領域３分割手段、２０１は領域１最大輝度算出手段、２０２は領域１平均輝度算出手段、２０３は領域１最小輝度検出手段、２０４は領域２最大輝度算出手段、２０５は領域２平均輝度算出手段、２０６は領域２最小輝度算出手段、２０７は領域３最大輝度算出手段、２０８は領域３平均輝度算出手段、２０９は領域３最小輝度算出手段、２１０は黒帯境界判定手段である。
【００２３】
図３は、復号された主映像と黒帯部分検出のための境界線、領域の関係を図示したものである。図３で、３００は境界線ａ、３０１は境界線ｂ、３０２は上端から境界線ａ３００に挟まれた領域Ａ、３０３は境界線ａ３００から境界線ｂ３０１で挟まれた領域Ｂ、３０４は境界線ｂ３０１から下端にて挟まれた領域Ｃ、３０５は領域Ｂ内輝度算出境界線ａ、３０６は領域Ｂ内輝度算出境界線ｂである。
【００２４】
図４（ａ）、図４（ｂ）、図４（ｃ）は、黒帯部分検出の手順とそれに伴う境界線ａ３００の動きをフローチャートにて図示したものである。図４（ａ）、図４（ｂ）、図４（ｃ）で、４０１から４１５は、黒帯検出の処理とそれに伴なう境界線ａ３００を動かす処理ステップ及び判断ステップである。
【００２５】
図５（ａ）、図５（ｂ）、図５（ｃ）は、黒帯部分検出の手順とそれに伴う境界線ｂ３０１の動きをフローチャートにて図示したものである。図５（ａ）、図５（ｂ）、図５（ｃ）で、５０１から５１５は、黒帯検出の処理とそれに伴なう境界線ａ３００を動かす処理ステップ及び判断ステップである。
【００２６】
図６（ａ）、図６（ｂ）は、表示する領域Ａの黒帯部分が変更の判定と、黒帯部分検出処理を再スタートさせるまでのをフローチャートにて図示したものである。図６（ａ）、図６（ｂ）で６０１から６１１は、表示する黒帯部分の変更判定と、黒帯部分検出処理を再スタートするまでの処理ステップである。
【００２７】
図７（ａ）、図７（ｂ）は、表示する領域Ｃの黒帯部分が変更の判定と、黒帯部分検出処理を再スタートさせるまでのをフローチャートにて図示したものである。図７（ａ）、図７（ｂ）で７０１から７１１は、表示する黒帯部分の変更判定と、黒帯部分検出処理を再スタートするまでの処理ステップである。
【００２８】
はじめに本映像再生装置での映像データ復号処理ステップの概要について説明する。分離された主映像データと副映像データは、それぞれ主映像復号手段１００、副映像復号手段１０６にて映像データ復号を行い、それぞれ主映像信号と副映像信号を生成する。その後最終段の映像信号加算手段１０３にて、主映像信号と副映像信号の時間同期をとりながら加算し、ディスプレイ等に表示させるための映像信号として出力する。主映像データは動画データが割り当てられており、再生素材画像データの画格は、映画素材などで「ビスタサイズ」、「シネマスコープサイズ」などいくつかの幅の広いパターンが存在する。一方、副映像データは、主に字幕データにが割り当てられている。
【００２９】
ここで、主映像復号手段１００と映像信号加算手段１０３の間に、水平拡大縮小手段１０１、垂直拡大縮小手段１０２を追加することにより、副映像信号とは独立に主映像信号の拡大縮小処理が可能になる。また、主映像信号の黒帯部分を検出するために黒帯部分検出手段１０５を組み込み、黒帯部分検出手段には、映像領域３分割手段２００、領域Ａ最大輝度算出手段２０１、領域Ａ平均輝度算出手段２０２、領域Ａ最小輝度算出手段２０３、領域Ｂ最大輝度算出手段２０４、領域Ｂ平均輝度算出手段２０５、領域Ｂ最小輝度算出手段２０６、領域Ｃ最大輝度算出手段２０７、領域Ｃ平均輝度算出手段２０８、領域Ｃ最小輝度算出手段２０９、黒帯境界判定手段２１０を持ち合わせる。
【００３０】
主映像復号手段１００より出力された主映像信号に関して、時間経過と共に黒帯検出手段１０５により主映像黒帯部分を検出する。出力される映像（フィールドもしくはフレーム）の画面全体を映像領域３分割手段２００に取り込む。取り込まれた映像データは、垂直方向に領域Ａ３０２、領域Ｂ３０３、領域Ｃ３０４と３つの領域に分割され、領域Ａ３０２では、領域Ａ最大輝度算出手段２０１にて領域Ａ３０２の最大輝度を、領域Ａ平均輝度算出手段２０２にて領域Ａ３０２の平均輝度を、領域Ａ最小輝度算出手段２０３にて領域Ａ３０２の最小輝度を算出し、領域Ｂ３０３では、領域Ｂ最大輝度算出手段２０４にて領域Ｂ３０３の最大輝度を、領域Ｂ平均輝度算出手段２０５にて領域Ｂ３０３の平均輝度を、領域Ｂ最小輝度算出手段２０６にて領域Ｂ３０３の最小輝度を算出し、同様に領域Ｃ３０４では、領域Ｃ最大輝度算出手段２０７にて領域Ｃ３０４の最大輝度を、領域Ｃ平均輝度算出手段２０８にて領域Ｃ３０４の平均輝度を、領域Ｃ最小輝度算出手段２０９にて領域Ｃ３０４の最小輝度を算出する。前記のそれぞれの輝度検出手段は、各領域全体の各輝度値を算出することも可能であり、かつ、その各領域内の指定された範囲の各輝度を検出する事もできる。
【００３１】
次に図４、図５を用いて黒帯境界の判定処理について説明する。
【００３２】
求められた各領域の最大輝度値、平均輝度値、最小輝度値より黒帯境界判定手段２１０にて主映像の黒帯の境界線を判定する。まず、黒の部分とする輝度のしきい値Ｔを定める（ステップ４０１）。境界線ａ３００の初期位置を復号された主映像の上端とする（ステップ４０２）。境界線ａ３００を下方へずらしながら、領域Ａ３０２の最大輝度値、平均輝度値、最小輝度値が等しく、かつ、先に定めたしきい値Ｔより小さい部分の境界位置を検出する（ステップ４０３、ステップ４０４、ステップ４０５）。検出後は、その境界位置に境界線ａ３００を設置し、映像ｔ１フレームの期間連続で（ｔ１は任意の整数）この境界位置が変動しないことを確認する（ステップ４０６、ステップ４０７、ステップ４０８、ステップ４０９、ステップ４１０、ステップ４１１、ステップ４１２）。この確認の処理を、映像の上端から設置された境界線ａ３００に囲まれた領域Ａ３０２の最大輝度値、平均輝度値、最小輝度値が等しくかつしきい値Ｔよりも小さいという条件と、領域Ｂ３０３内に存在する境界線ａ３００から下方ｌラインに存在する領域Ｂ内輝度算出境界線ａ３０５に挟まれた領域（ｌは任意の整数）の最大輝度値、平均輝度値、最小輝度値が等しくないまたはしきい値Ｔ以上という条件の、２つの条件にて行う（ステップ４１０）。前記２つの条件が満たされていると確認された場合は、上端から境界線ａ３００にて挟まれた領域Ａ３０２を黒帯部分と判定する。前記２つの条件が満たされない場合、再度境界線ａ３００を上下させ黒帯部分検出の処理を継続する。領域Ａ３０２の最大輝度値、平均輝度値、最小輝度値が等しくないまたはしきい値Ｔ以上であれば、境界線ａ３００を上方へ移動させ（ステップ４１３、ステップ４１５）、領域Ａ３０２と、境界線ａ３００から下方ｌラインに存在する領域Ｂ内輝度算出境界線ａ３０５に挟まれた領域（ｌは任意の整数）の双方が、最大輝度値、平均輝度値、最小輝度値が等しくかつしきい値Ｔよりも小さい場合は、境界線ａ３００を下方へ移動させながら（ステップ４１３、ステップ４１４）、黒帯部分の境界位置処理を継続させる。
【００３３】
同様に、境界線ｂ３０１の初期位置を復号された主映像の下端とする（ステップ５０２）。境界線ｂ３０１を上方へずらしながら、領域Ｃ３０４の最大輝度値、平均輝度値、最小輝度値が等しく、かつ、先に定めたしきい値Ｔより小さい部分の境界位置を検出する（ステップ５０３、ステップ５０４、ステップ５０５）。検出後は、その境界位置に境界線ｂ３０１を設置し、映像ｔ１フレームの期間連続で（ｔ１は任意の整数）この境界位置が変動しないことを確認する（ステップ５０６、ステップ５０７、ステップ５０８、ステップ５０９、ステップ５１０、ステップ５１１）。この確認の処理は、映像の下端から設置された境界線ｂ３０１に囲まれた領域Ｃ３０４の最大輝度値、平均輝度値、最小輝度値が等しくかつしきい値Ｔよりも小さいという条件と、境界線ｂ３０１から上方ｍラインに存在する領域Ｂ内輝度算出境界線ｂ３０６にに挟まれた領域（ｍは任意の整数）の最大輝度値、平均輝度値、最小輝度値が等しくないまたはしきい値Ｔ以上という条件の、２つの条件にて行う（ステップ５１０）。前記２つの条件が満たされていると確認された場合は、下端から境界線ｂ３０１にて挟まれた領域Ｃ３０４を黒帯部分と判定する。前記２つの条件が満たされない場合、再度境界線ｂ３０１を上下させ黒帯部分検出の処理を継続する。領域Ｃ３０４の最大輝度値、平均輝度値、最小輝度値が等しくないまたはしきい値Ｔ以上であれば、境界線ｂ３０１を下方へ移動させ（ステップ５１３、ステップ５１４）、領域Ｃ３０４と、境界線ｂ３０１から下方ｍラインに存在する領域Ｂ内輝度算出境界線ｂ３０６に挟まれた領域（ｍは任意の整数）の双方が、最大輝度値、平均輝度値、最小輝度値が等しくかつしきい値Ｔよりも小さい場合は、境界線ｂ３０１を上方へ移動させながら（ステップ５１３，ステップ５１４）、黒帯部分の境界位置処理を継続させる。
【００３４】
次に図６（ａ）、図６（ｂ）、図７（ａ）、図７（ｂ）を用いて一旦黒帯境界が判定された後の、黒帯境界が変化したと判定する処理について説明する。一旦黒帯境界が判定された後は、領域ａ３０２と、領域Ｂ３０３内に存在する境界線ａ  ３００から下方ｌラインに存在する領域Ｂ内輝度算出境界線ａ３０５に挟まれた領域（ｌは任意の整数）と、境界線ｂ３０１から上方ｍライン存在する領域Ｂ内輝度算出境界線ｂ３０６にに挟まれた領域（ｍは任意の整数）と、領域Ｃ３０４のそれぞれの最大輝度値、平均輝度値、最小輝度値の算出を継続する（ステップ６０１、ステップ６０２、ステップ６０３、ステップ６０４、ステップ６０５、ステップ７０１、ステップ７０２、ステップ７０３、ステップ７０４、ステップ７０５）。黒帯境界が判定された後に、ｔ２フレームの期間（ｔ２は任意の整数）連続で領域Ａ３０２、もしくは領域Ｃ３０４の最大輝度値、平均輝度値、最小輝度値が等しくないまたはしきい値Ｔ以上の条件であれば、黒帯境界判定の処理を再開させる（ステップ６０２、ステップ６０３、ステップ６０４、ステップ６０６、ステップ６０７、ステップ６０８、ステップ６０９、ステップ６１０、ステップ６１１）。この場合、領域Ａ３０２が最大輝度値、平均輝度値、最小輝度値が等しくないまたはしきい値Ｔ以上であれば、境界線ａ３００を上方へ移動させながら（ステップ６１１）、領域Ｃ３０４が最大輝度値、平均輝度値、最小輝度値が等しくないまたはしきい値Ｔ以上であれば、境界線ｂ３０１を下方へ移動させながら（ステップ６１０）、黒帯境界検出処理を再開させる。なお、黒帯検出処理フローの一部を示す図４（ａ）において黒帯境界検出処理再開時は、ステップ４０２の処理はスキップされる。
【００３５】
また、黒帯境界が判定された後に、ｔ３フレームの期間（ｔ３は任意の整数）連続で、領域Ａ３０２と、境界線ａ３００から下方ｌラインに存在する領域Ｂ内輝度算出境界線ａ３０５に挟まれた領域（ｌは任意の整数）の双方が、最大輝度値、平均輝度値、最小輝度値が等しくかつしきい値Ｔよりも小さい、もしくは、領域Ｃ３０４と、境界線ｂ３０１から上方ｍラインに存在する領域Ｂ内輝度算出境界線ｂ３０６に挟まれた領域（ｍは任意の整数）の双方が、最大輝度値、平均輝度値、最小輝度値が等しくかつしきい値Ｔよりも小さいという条件が発生した場合も、黒帯境界検出処理を再開させる（ステップ７０２、ステップ７０３、ステップ７０４、ステップ７０６、ステップ７０７、ステップ７０８、ステップ７０９、ステップ７１０、ステップ７１１）。この場合、領域Ａ３０２と、境界線ａ３００から下方ｌラインに存在する領域Ｂ内輝度算出境界線ａ３０５に挟まれた領域（ｌは任意の整数）の双方が、最大輝度値、平均輝度値、最小輝度値が等しくかつしきい値Ｔよりも小さいとき、境界線ａ３００を下方へ移動させながら（ステップ７１１）、領域Ｃ３０４と、境界線ｂ３０１から上方ｍラインに存在する領域Ｂ内輝度算出境界線ｂ３０６に挟まれた領域（ｍは任意の整数）の双方が、最大輝度値、平均輝度値、最小輝度値が等しくかつしきい値Ｔよりも小さいとき、境界線ｂ３０１を上方へ移動させながら（ステップ７１０）、再度黒帯境界検出処理を行う。なお、黒帯検出処理フローの一部を示す図５（ａ）において黒帯境界検出処理再開時は、ステップ５０２の処理はスキップされる。
【００３６】
黒帯部分判定処理の後、拡大比縮小値算出手段１０４により、黒帯部分検出手段１０５により検出された主映像の黒帯部分の情報と、主映像の素材の画格情報、表示させるディスプレイの表示領域の情報をもとに、上下の黒帯部分をなくすのに最適な、拡大縮小の比率を算出する。
【００３７】
算出された拡大縮小の比率は、水平拡大縮小手段１０１、垂直拡大縮小手段１０２へ設定され、設定された値をもとに、主映像の水平方向の拡大縮小、垂直方向の拡大縮小の処理を施し、その後映像信号加算手段１０３にて副映像を加算し映像出力信号として出力する。
【００３８】
従来、表示画面のズームにおいて出力状況が頻繁に変化する字幕表示に影響されていたが、このように、副映像とは独立に主映像の拡大縮小を施し、その後に主映像と副映像を加算することにより、主映像の表示サイズにのみ拡大縮小が施されることになり、表示画面のズームが字幕表示に影響されることなく見やすいズーム機能を実現できる。また、ズーム処理の遅延等に伴う表示画面上での字幕部分の欠落についても回避する事ができる。
【００３９】
また、拡大縮小の比率算出の前提となる黒帯部分の検出に関して、検出する領域の最大輝度値、平均輝度値、最小輝度値の３つの値を用いることにより、検出精度を上げるという効果を得る。主映像の殻フレーム毎ｔに、輝度により黒帯検出を連続的に処理することにより、映像再生素材の時間軸変化にともなって、拡大縮小（ズーム）を自動で変化させることができる。
【産業上の利用可能性】
【００４０】
本発明にかかる映像再生装置は、主映像のみを拡大縮小することによって、主映像と副映像を個別に再生し最終出力段にて加算する映像データ構造をとった放送、通信伝送上のデータ再生を行う映像再生装置にも適用できる。
【図面の簡単な説明】
【００４１】
【図１】本発明の実施の形態での映像再生装置のブロック構成図
【図２】本発明の実施の形態での黒帯部分検出手段のブロック構成図
【図３】本発明の実施の形態での主映像と黒帯部分検出のための境界線、領域の関係を示した模式図
【図４】本発明の実施の形態での主映像と黒帯部分検出の手順と、それに伴う境界線の動きをフローチャート
【図５】本発明の実施の形態での主映像と黒帯部分検出の手順と、それに伴う境界線の動きをフローチャート
【図６】本発明の実施の形態での、表示する領域Ａの黒帯部分が変更の判定と、黒帯部分検出処理を再スタートさせるまでをフローチャート
【図７】本発明の実施の形態での、表示する領域Ｂの黒帯部分が変更の判定と、黒帯部分検出処理を再スタートさせるまでをフローチャート
【図８】従来の映像拡大縮小の実現方法を示した模式図
【符号の説明】
【００４２】
１００    主映像復号手段
１０１    水平拡大縮小手段
１０２    垂直拡大縮小手段
１０３    映像信号加算手段
１０４    拡大値縮小値演算手段
１０５    黒帯部分検出手段
１０６    副映像復号手段
２００    映像領域３分割手段
２０１    領域Ａ最大輝度算出手段
２０２    領域Ａ平均輝度算出手段
２０３    領域Ａ最小輝度算出手段
２０４    領域Ｂ最大輝度算出手段
２０５    領域Ｂ平均輝度算出手段
２０６    領域Ｂ最小輝度算出手段
２０７    領域Ｃ最大輝度算出手段
２０８    領域Ｃ平均輝度算出手段
２０９    領域Ｃ最小輝度算出手段
２１０    黒帯境界判定手段
【図１】
2005203933.tif 000003
【図２】
2005203933.tif 000004
【図３】
2005203933.tif 000005
【図４】
2005203933.tif 000006
【図５】
2005203933.tif 000007
【図６】
2005203933.tif 000008
【図７】
2005203933.tif 000009
【図８】
2005203933.tif 000010